(57)【特許請求の範囲】
【請求項１】
商品の登録処理により売上データの売上処理を行う売上データ処理装置であって、
前記売上処理に伴って、ユーザにより任意に提示されるユーザ記憶媒体を検知する検知手段と、
前記検知手段による前記ユーザ記憶媒体の検知時に、そのユーザ記憶媒体に、箸などの商品に添付される複数の添付物の中から前記ユーザにより予め任意に選択された添付物を添付することを店員に要望する要望情報が記憶されていれば、その要望情報を店員に確認させるための表示情報として表示手段に表示させる表示制御手段と、
前記検知手段で前記ユーザ記憶媒体を検知した際に、複数の商品クーポン情報の中からユーザにより予め任意に選択された選択済み商品クーポン情報が、そのユーザ記憶媒体に記憶されていれば、その記憶された選択済み商品クーポン情報を前記検知時において事前に読み出し、その読み出された選択済み商品クーポン情報を、当該売上データ処理装置側の記憶手段に記憶制御する記憶制御手段と、
前記売上処理に伴う個別の商品の登録処理時に、その登録処理対象となった商品に該当する商品クーポン情報が、前記記憶手段に選択済み商品クーポン情報として事前に読み出されて記憶されているか否かを判別する判別手段と、
前記判別手段で事前に読み出されて記憶されていると判別された際は、前記登録処理の対象となる商品に対して前記選択済み商品クーポン情報に基づくクーポン処理を実行すべく制御する処理制御手段と、
を具備したことを特徴とする売上データ処理装置。
【請求項２】
前記判別手段は、前記選択済み商品クーポン情報が事前に記憶されている場合には、その選択済み商品クーポン情報が有効か否かを更に判別し、
前記処理制御手段は、前記判別で有効と判別された際に、前記選択済み商品クーポン情報に基づくクーポン処理を実行すべく制御する、
ことを特徴とする請求項１に記載の売上データ処理装置。
【請求項３】
商品の登録処理により売上データの売上処理を行う売上データ処理装置のコンピュータを制御するためのプログラムであって、
前記コンピュータを、
前記売上処理に伴って、ユーザにより任意に提示されるユーザ記憶媒体を検知する検知手段、
前記検知手段による前記ユーザ記憶媒体の検知時に、そのユーザ記憶媒体に、箸などの商品に添付される複数の添付物の中から前記ユーザにより予め任意に選択された添付物を添付することを店員に要望する要望情報が記憶されていれば、その要望情報を店員に確認させるための表示情報として表示手段に表示させる表示制御手段、
前記検知手段で前記ユーザ記憶媒体を検知した際に、複数の商品クーポン情報の中からユーザにより予め任意に選択された選択済み商品クーポン情報が、そのユーザ記憶媒体に記憶されていれば、その記憶された選択済み商品クーポン情報を前記検知時において事前に読み出し、その読み出された選択済み商品クーポン情報を、当該売上データ処理装置側の記憶手段に記憶制御する記憶制御手段、
前記売上処理に伴う個別の商品の登録処理時に、その登録処理対象となった商品に該当する商品クーポン情報が、前記記憶手段に選択済み商品クーポン情報として事前に読み出されて記憶されているか否かを判別する判別手段、
前記判別手段で事前に読み出されて記憶されていると判別された際は、前記登録処理の対象となる商品に対して前記選択済み商品クーポン情報に基づくクーポン処理を実行すべく制御する処理制御手段、
として機能させるようにしたコンピュータ読み取り可能なプログラム。
【発明の詳細な説明】
【技術分野】
【０００１】
本発明は、商品の販売を行うための売上データ処理装置に関する。
【背景技術】
【０００２】
従来、スーパーマーケット、コンビニエンスストア等の店舗において、商品の精算時、弁当、飲み物等を購入した顧客に、店員が、割り箸、ストロー等の添付物を商品の袋に入れて渡すサービスが知られている。
【０００３】
また、顧客側に設けられたタッチパネルを備え、顧客から希望する添付物の情報のタッチ入力を受け付けるレジスタ装置が知られている（例えば、特許文献１参照）。商品の精算時に、上記レジスタ装置に入力された添付物の情報は、店員（オペレータ）側の表示部に表示され、店員がその添付物の情報を参照して、顧客に添付物を手渡す。
【先行技術文献】
【特許文献】
【０００４】
【特許文献１】特開２００２−３２８５３号公報
【発明の概要】
【発明が解決しようとする課題】
【０００５】
しかし、従来のレジスタ装置（売上データ処理装置）では、商品の精算時に顧客が添付物の選択入力を行うので、店員が入力（登録）中の商品の情報を顧客が顧客側の表示部で目視により確認することができず、店員の入力ミスを見逃してしまうおそれがあった。また、店員の商品の入力が完了するまでに顧客が添付物の情報の入力操作を終える保障は無く、かえってレジスタ装置付近を混雑させてしまうおそれがあった。
【０００６】
本発明の課題は、売上データ処理装置と別の位置で添付物の要望情報と商品クーポン情報の入力を受け付け、商品の登録処理時に、その添付物を顧客に提供し、クーポン処理を迅速に且つ確実に行うようにすることである。
【課題を解決するための手段】
【０００８】
請求項１は、商品の登録処理により売上データの売上処理を行う売上データ処理装置であって、前記売上処理に伴って、ユーザにより任意に提示されるユーザ記憶媒体を検知する検知手段と、前記検知手段による前記ユーザ記憶媒体の検知時に、そのユーザ記憶媒体に、箸などの商品に添付される複数の添付物の中から前記ユーザにより予め任意に選択された添付物を添付することを店員に要望する要望情報が記憶されていれば、その要望情報を店員に確認させるための表示情報として表示手段に表示させる表示制御手段と、前記検知手段で前記ユーザ記憶媒体を検知した際に、複数の商品クーポン情報の中からユーザにより予め任意に選択された選択済み商品クーポン情報が、そのユーザ記憶媒体に記憶されていれば、その記憶された選択済み商品クーポン情報を前記検知時において事前に読み出し、その読み出された選択済み商品クーポン情報を、当該売上データ処理装置側の記憶手段に記憶制御する記憶制御手段と、前記売上処理に伴う個別の商品の登録処理時に、その登録処理対象となった商品に該当する商品クーポン情報が、前記記憶手段に選択済み商品クーポン情報として事前に読み出されて記憶されているか否かを判別する判別手段と、前記判別手段で事前に読み出されて記憶されていると判別された際は、前記登録処理の対象となる商品に対して前記選択済み商品クーポン情報に基づくクーポン処理を実行すべく制御する処理制御手段と、を具備したことを特徴とする。
【発明の効果】
【００１４】
本発明によれば、売上データ処理装置と別の位置で添付物の要望情報と商品クーポン情報の入力を受け付けることができ、商品の登録処理時に、その添付物を顧客に提供し、クーポン処理を迅速に且つ確実に行うようにすることができる。
【図面の簡単な説明】
【００１５】
【図１】本発明に係る実施の形態の商品販売システムの構成を示すブロック図である。
【図２】売上データ処理装置の機能構成を示すブロック図である。
【図３】端末装置の機能構成を示すブロック図である。
【図４】割引クーポン作成装置の機能構成を示すブロック図である。
【図５】割引クーポン情報の構成を示す図である。
【図６】割引クーポン作成装置で実行される割引クーポン情報作成処理を示すフローチャートである。
【図７】端末装置で実行される情報書込処理を示すフローチャートである。
【図８】売上データ処理装置で実行される売上登録処理を示すフローチャートである。
【図９】端末装置で表示される入力画面を示す図である。
【発明を実施するための形態】
【００１６】
以下、添付図面を参照して本発明に係る実施の形態を詳細に説明する。なお、本発明は、図示例に限定されるものではない。
【００１７】
図１〜図４を参照して、本実施の形態の装置構成を説明する。図１に、本実施の形態の商品販売システム１の構成を示す。
【００１８】
図１を参照して、商品販売システム１の全体構成を説明する。商品販売システム１は、所定オーナー（会社）が経営するスーパーマーケット、コンビニエンスストア等の所定支店の店舗（自店舗）内に設置され、顧客から、箸、ストロー、スプーン、タレ（ソース、醤油等）等、商品に添付を希望する添付物の情報入力を受け付け、当該添付物情報をオペレータ（店員）用に表示するシステムである。また、商品販売システム１は、商品の割引クーポンを発行し、当該割引クーポンに応じて商品を割り引いて精算を行うシステムである。また、商品販売システム１は、上記オーナーが経営する他の支店の店舗（他店舗）内にも設置され、これら自店舗及び他店舗の複数の商品販売システム１が互いに通信接続されているものとする。
【００１９】
図１に示すように、商品販売システム１は、売上データ処理装置１０と、端末装置２０と、割引クーポン作成装置３０と、を備え、各装置が通信ネットワークＮを介して接続されている。
【００２０】
なお、商品販売システム１における割引クーポン作成装置、売上データ処理装置の台数は、それぞれ１台に限定されるものではなく、複数台としてもよい。
【００２１】
売上データ処理装置１０は、商品の精算所に設置され、顧客が購入した商品の情報を登録する装置である。また、売上データ処理装置１０は、商品の精算時に、記憶媒体としてのＩＣ（Integrated Circuit）カード４０に記憶されている添付物情報及び割引クーポン識別子を読取部１７により読取り、読取った添付物情報を表示するとともに、割引クーポン情報に応じて購入商品の価格を割引いて精算する。
【００２２】
端末装置２０は、商品が陳列される商品棚付近に設置され、割引クーポン作成装置３０により作成された割引クーポン情報を表示し、顧客から入力される添付物情報及び割引クーポン識別子を書込部２７によりＩＣカード４０に書き込む。割引クーポン作成装置３０は、割引クーポン情報を作成して、端末装置２０及び売上データ処理装置１０に送信する。
【００２３】
ＩＣカード４０は、顧客が所有するＩＣカードであり、例えば、ＲＦＩＤ（Radio Frequency IDentification）方式により、情報が読取り及び書込みされる非接触式のＩＣカードとする。ＩＣカード４０は、上記添付物の情報及び割引クーポン情報が書き込まれて記憶される。なお、ＩＣカード４０は、例えば、携帯電話機等の携帯機器に一体的に搭載される非接触式のＩＣカード部としてもよい。
【００２４】
通信ネットワークＮは、複数店舗の各店舗内のＬＡＮ（Local Area Network）を含むとともに、各店舗のＬＡＮ同士を接続するＷＡＮを含む通信ネットワークである。
【００２５】
次いで、図２を参照して、売上データ処理装置１０の内部構成を説明する。図２に、売上データ処理装置１０の機能構成を示す。
【００２６】
売上データ処理装置１０は、制御手段、受信手段としてのＣＰＵ（Central Processing Unit）１１と、入力部１２と、ＲＡＭ（Random Access Memory）１３と、第１の表示手段としての表示部１４と、割引クーポン情報記憶手段、自店舗識別子記憶手段としての記憶部１５と、受信手段としての通信部１６と、読取手段としての読取部１７と、計時部１８と、ドロア１９ａと、印刷部１９ｂと、を備え、各部がバス１９ｃを介して接続されている。
【００２７】
ＣＰＵ１１は、売上データ処理装置１０の各部を制御する。ＣＰＵ１１は、記憶部１５に記憶されているシステムプログラム及びアプリケーションプログラムのうち、指定されたプログラムを読み出してＲＡＭ１３に展開し、ＲＡＭ１３に展開されたプログラムとの協働で、各種処理を実行する。
【００２８】
ＣＰＵ１１は、売上登録プログラムに従い、割引クーポン作成装置３０から送信された割引クーポン情報を受信して記憶し、顧客が購入する商品の精算時に、その購入商品の情報を登録するとともに、顧客のＩＣカード４０に記憶された添付物情報を読み出して表示し、同じくＩＣカード４０に記憶された割引クーポン識別子に対応する割引クーポン内容情報に応じて商品の価格情報の割引を行う。
【００２９】
入力部１２は、数字キー、現金預キー、各種機能キー等の各種キーを有し、各キーの操作入力を受け付ける商品登録用のキーパッドを備え、キー操作入力に応じた操作情報をＣＰＵ１１に出力する。また、入力部１２は、表示部１４に一体的に構成されるタッチパネルのキーパッドとしてもよい。また、入力部１２は、商品に付されたバーコードを読取り、バーコードに含まれる情報（バーコード情報）を取得してＣＰＵ１１に出力するスキャナ部を備える構成とする。
【００３０】
ＲＡＭ１３は、情報を一時的に記憶する揮発性のメモリであり、各種データ及びプログラムを格納するワークエリアを有する。
【００３１】
表示部１４は、ＬＣＤ（Liquid Crystal Display）等により構成され、ＣＰＵ１１から入力される表示情報に応じて各種表示を行う。
【００３２】
記憶部１５は、フラッシュメモリ等により構成され、各種データ及び各種プログラムを読み出し及び書き込み可能に記憶する。記憶部１５には、割引クーポン情報５０、自店舗情報６０及び売上登録プログラムが記憶されている。割引クーポン情報５０は、詳細に後述される。
【００３３】
通信部１６は、ネットワークカード等で構成され、通信ネットワークＮ上の機器（端末装置２０等）との通信を介する。通信部１６により、売上データ処理装置１０は、通信ネットワークＮを介して、端末装置２０と通信が可能である。
【００３４】
読取部１７は、ＲＦＩＤ方式のＩＣカードリーダであり、ＩＣカード４０に記憶されている情報を非接触に読取り、ＣＰＵ１１に出力する。
【００３５】
計時部１８は、計時回路を備え、計時回路による現在日時の計時に応じた日時情報情報を生成してＣＰＵ１１に出力する。
【００３６】
ドロア１９ａは、現金を収納する引き出しであり、ＣＰＵ１１の開放指示に応じて開放される。
【００３７】
印刷部１９ｂは、熱転写式等のプリンタであり、ジャーナル及びレシート用のロール紙がセットされ、ＣＰＵ１１の印刷指示に応じて、ロール紙にジャーナル及びレシートを印刷する。
【００３８】
次いで、図３を参照して、端末装置２０の内部構成を説明する。図３に、端末装置２０の機能構成を示す。
【００３９】
端末装置２０は、表示制御手段としてのＣＰＵ２１と、入力手段としての入力部２２と、ＲＡＭ２３と、第２の表示手段としての表示部２４と、記憶部２５と、通信部２６と、記憶制御手段としての書込部２７と、計時手段としての計時部２８と、を備え、各部がバス２９を介して接続されている。
【００４０】
ＣＰＵ２１、ＲＡＭ２３、表示部２４、通信部２６、計時部２８は、売上データ処理装置１０のＣＰＵ１１、ＲＡＭ１３、表示部１４、通信部１６、計時部１８と同様の構成であり、異なる部分を主として説明する。
【００４１】
ＣＰＵ２１は、端末装置２０の各部を制御する。ＣＰＵ２１は、情報書込プログラムに従い、顧客から希望する添付物及び割引クーポンの情報入力を受け付け、その入力情報に応じた添付物情報及び割引クーポン識別子を顧客のＩＣカード４０に書込む。
【００４２】
入力部２２は、表示部２４に一体的に構成されるタッチパネルのキーパッドであり、顧客のタッチ操作入力を受け付け、その操作情報をＣＰＵ２１に出力する。
【００４３】
記憶部２５は、フラッシュメモリ等により構成され、各種データ及び各種プログラムを読み出し及び書き込み可能に記憶する。記憶部２５には、添付物情報７０、割引クーポン情報８０及び情報書込プログラムが記憶されている。添付物情報７０、割引クーポン情報８０は、詳細に後述される。
【００４４】
通信部２６により、端末装置２０は、通信ネットワークＮを介して、割引クーポン作成装置３０と通信が可能である。
【００４５】
書込部２７は、ＲＦＩＤ方式のＩＣカードライタであり、ＣＰＵ１１の指示に従い、ＩＣカード４０に情報を非接触に書き込む。
【００４６】
次いで、図４を参照して割引クーポン作成装置３０の内部構成を説明する。図４に、割引クーポン作成装置３０の機能構成を示す。
【００４７】
割引クーポン作成装置３０は、割引クーポン情報作成手段、送信手段としてのＣＰＵ３１と、入力部３２と、ＲＡＭ３３と、表示部３４と、記憶部３５と、送信手段としての通信部３６と、を備え、各部がバス３７を介して接続されている。
【００４８】
ＣＰＵ３１、ＲＡＭ３３、表示部３４、通信部３６は、売上データ処理装置１０のＣＰＵ１１、ＲＡＭ１３、表示部１４、通信部１６と同様の構成であり、異なる部分を主として説明する。
【００４９】
ＣＰＵ３１は、割引クーポン作成装置３０の各部を制御する。ＣＰＵ３１は、割引クーポン情報作成プログラムに従い、自店舗で使用できる割引クーポンの割引クーポン情報を作成して、自店舗及び他店舗の端末装置２０と、自店舗の売上データ処理装置１０と、に送信する。
【００５０】
入力部２２は、各種キー操作入力を受け付けるキーボードを備え、キー操作入力に応じた操作情報をＣＰＵ２１に出力する。また、入力部２２は、マウス等のポインティングデバイスを備え、位置情報の操作入力を受け付ける構成としてもよい。
【００５１】
記憶部３５は、ＨＤＤ（Hard Disk Drive）等により構成され、各種データ及び各種プログラムを読み出し及び書き込み可能に記憶する。記憶部３５には、割引クーポン情報作成プログラムが記憶されている。
【００５２】
通信部３６により、割引クーポン作成装置３０は、通信ネットワークＮを介して、自店舗の売上データ処理装置１０、自店舗及び他店舗の端末装置２０と通信が可能である。
【００５３】
次に、図５を参照して、商品販売システム１に記憶される各種情報を説明する。図５に、割引クーポン情報５０の構成を示す。
【００５４】
図５に示すように、売上データ処理装置１０の記憶部１５に記憶される割引クーポン情報５０は、店舗情報５１と、割引クーポン内容情報５２と、割引クーポン識別子５３と、割引開始日時５４と、割引終了日時５５と、を有する。
【００５５】
店舗情報５１は、割引クーポン内容情報５２に対応する割引クーポンが使用可能な店舗の識別情報である。割引クーポン内容情報５２は、割引クーポンの内容に関する情報である。割引クーポン内容情報５２は、例えば、割引対象の商品を識別する商品識別情報と、商品の割引方法及び割引量（○○％引き、○○円引き等）と、が対応付けられ含まれている。
【００５６】
割引クーポン識別子５３は、割引クーポン内容情報５２に対応する割引クーポンの識別子である。割引開始日時５４は、割引クーポン内容情報５２に対応する割引クーポンの割引開始の日時情報である。割引終了日時５５は、割引クーポン内容情報５２に対応する割引クーポンの割引終了の日時情報である。
【００５７】
売上データ処理装置１０の記憶部１５に記憶される自店舗情報６０は、自店舗を識別する識別情報である。
【００５８】
端末装置２０の記憶部２５に記憶される添付物情報７０は、添付物に関する情報であり、顧客が選択可能な添付物の識別情報と、同じく顧客が選択可能な添付物の個数情報と、が対応付けられて含まれている。
【００５９】
端末装置２０の記憶部２５に記憶される割引クーポン情報８０は、割引クーポン情報５０と同様に、店舗情報と、割引クーポン内容情報と、割引クーポン識別子と、割引開始日時と、割引終了日時と、が対応付けられて含まれている。
【００６０】
次に、図６〜図９を参照して、商品販売システム１の動作を説明する。図６に、割引クーポン作成装置３０で実行される割引クーポン情報作成処理の流れを示す。図７に、端末装置２０で実行される情報書込処理の流れを示す。図８に、売上データ処理装置１０で実行される売上登録処理の流れを示す。図９に、端末装置２０で表示される入力画面９０を示す。
【００６１】
図６を参照して、割引クーポン作成装置３０で実行される割引クーポン情報作成処理を説明する。割引クーポン情報作成処理は、自店舗で使用できる割引クーポンの割引クーポン情報を作成して、自店舗及び他店舗の端末装置２０と、自店舗の売上データ処理装置１０と、に送信する処理である。
【００６２】
割引クーポン作成装置３０において、例えば、入力部３２を介して割引クーポン情報作成処理の実行指示が入力された場合に、記憶部３５から読み出されて適宜ＲＡＭ３３に展開された割引クーポン情報作成プログラムと、ＣＰＵ３１との協働により、割引クーポン情報作成処理が実行される。
【００６３】
先ず、入力部３２を介してユーザ（店員）から、割引クーポン情報作成指示の操作入力があるか否かに応じて、割引クーポン情報を作成するか否かが判別される（ステップＳ１１）。割引クーポン情報を作成する場合（ステップＳ１１；ＹＥＳ）、入力部３２を介するユーザの操作入力に応じて、割引クーポン識別子を除く割引クーポン情報が作成される（ステップＳ１２）。入力部３２を介して、割引クーポンを使用可能な店舗の店舗情報、割引クーポン内容情報、割引開始日時、割引終了日時が入力され、これらの入力情報が割引クーポン情報の各情報として作成される。
【００６４】
そして、乱数が発生される（ステップＳ１３）。そして、ステップＳ１３で発生された乱数が割引クーポン識別子とされ、当該割引クーポン識別子と、ステップＳ１２で作成された各情報と、を含む割引クーポン情報が記憶部３５に記憶され（ステップＳ１４）、ステップＳ１１に移行される。
【００６５】
割引クーポン情報を作成しない場合（ステップＳ１１；ＮＯ）、入力部３２を介してユーザ（店員）から、割引クーポン情報送信指示の操作入力があるか否かに応じて、ステップＳ１４で新たに作成及び記憶された割引クーポン情報を送信するか否かが判別される（ステップＳ１５）。割引クーポン情報を送信する場合（ステップＳ１５；ＹＥＳ）、記憶部３５に記憶されている新たに作成された割引クーポン情報が読み出され、通信部３６及び通信ネットワークＮを介して、読み出された割引クーポン情報が、自店舗及び他店舗の端末装置２０と、自店舗の売上データ処理装置１０とに送信され（ステップＳ１６）、ステップＳ１１に移行される。
【００６６】
割引クーポン情報を送信しない場合（ステップＳ１５；ＮＯ）、入力部３２を介するユーザの操作入力に応じて、割引クーポン情報作成処理を終了するか否かが判別される（ステップＳ１７）。割引クーポン情報作成処理を終了しない場合（ステップＳ１７；ＮＯ）、ステップＳ１１に移行される。割引クーポン情報作成処理を終了する場合（ステップＳ１７；ＹＥＳ）、割引クーポン情報作成処理が終了する。
【００６７】
次いで、図７を参照して、端末装置２０で実行される情報書込処理を説明する。情報書込処理は、顧客から希望する添付物及び割引クーポンの情報入力を受け付け、その入力情報に応じて、添付物情報及び割引クーポン識別子を顧客のＩＣカード４０に書込む処理である。
【００６８】
端末装置２０において、例えば、電源オン入力された場合に、記憶部２５から読み出されて適宜ＲＡＭ２３に展開された情報書込プログラムと、ＣＰＵ２１との協働により、情報書込処理が実行される。
【００６９】
先ず、割引クーポン情報作成処理のステップＳ１６に対応して、通信ネットワークＮ及び通信部２６を介して、割引クーポン情報を、自店舗又は他店舗の割引クーポン作成装置３０から受信したか否かが判別される（ステップＳ２０）。割引クーポン情報を受信した場合（ステップＳ２０；ＹＥＳ）、受信した割引クーポン情報が記憶部２５の割引クーポン情報８０の新たな行として記憶され（ステップＳ２１）、ステップＳ２０に移行される。
【００７０】
割引クーポン情報を受信していない場合（ステップＳ２０；ＮＯ）、計時部２８から現在日時情報（システム日時情報）が取得される（ステップＳ２２）。そして、記憶部２５に割引クーポン情報８０の未選択の１行（レコード）が選択される（ステップＳ２３）。そして、ステップＳ２３で選択された行があるか否かが判別される（ステップＳ２４）。選択された行がある場合（ステップＳ２４；ＹＥＳ）、ステップＳ２４で取得した現在日時情報が、割引クーポン情報８０の選択行の割引終了日時を経過しているか否かが判別される（ステップＳ２５）。
【００７１】
現在日時情報が割引終了日時を経過している場合（ステップＳ２５；ＹＥＳ）、割引クーポン情報８０の現在日時情報が割引終了日時を経過している選択行が削除され（ステップＳ２６）、ステップＳ２３に移行される。
【００７２】
現在日時情報が割引終了日時を経過していない場合（ステップＳ２５；ＮＯ）、ステップＳ２２で取得した現在日時情報が、割引クーポン情報８０の割引開始日時を経過している行が優先的になるよう、割引クーポン情報８０の選択済の各行の順番が並び替えられる（ステップＳ２７）。そして、ステップＳ２７で並び替えられた、割引開始日時を経過している行と、割引開始日時を経過していない行と、のそれぞれについて、現在日時情報が割引クーポン情報８０の割引終了日時に近い行が優先的になるよう順番が並び替えられる（ステップＳ２８）。
【００７３】
そして、ステップＳ２７，Ｓ２８で並び替えられた行のうち、割引終了日時が同じ行について、割引クーポン情報８０の割引クーポン内容情報の商品の割引量が多い行が優先的になるよう順番が並び替えられ（ステップＳ２９）、ステップＳ２３に移行される。割引の種類は、例えば、２０円引き、２０％ＯＦＦ、２ＧＥＴ１ＦＲＥＥ（２個買うと１個無料）等がある。このため、例えば、割引の種類が複数ある場合に、その割引の種類にも予め優先順位が設定されており、その優先順位に応じて割引の種類を並べることとしてもよい。また、割引クーポン情報が商品の価格情報を有し、その価格情報に応じて、各行の割引金額を算出し、その算出した割引金額を割引量とし、割引金額の大きい順番に、選択済の行を並べ替える構成としてもよい。
【００７４】
選択された行がない場合（ステップＳ２４；ＮＯ）、割引クーポン情報８０の店舗情報が自店舗及び他店舗の各行が、さらに自店舗の行を優先するように並べ替えられ、その並べ替えられた順番で各行に対応する割引クーポンが配置された割引クーポン入力領域の画面情報が作成されて表示部２４に表示される（ステップＳ３０）。割引クーポン入力領域は、割引クーポンを選択してタッチ入力するための画面領域であり、表示される割引クーポンは、割引クーポン情報８０の割引クーポン内容情報、店舗情報の店舗名、割引終了日時（及び割引開始日時）を含む。
【００７５】
そして、添付物入力領域の画面情報が作成されて表示部２４に表示される（ステップＳ３１）。添付物入力領域は、添付物情報（添付物の種類及び個数）を選択してタッチ入力するための画面領域である。そして、入力部２２により、添付物選択画面部に対応して添付物情報の選択入力を受け付けたか否かが判別される（ステップＳ３２）。添付物情報の選択入力を受け付けた場合（ステップＳ３２；ＹＥＳ）、入力された添付物情報が記憶部２５に添付物情報７０として記憶され（ステップＳ３３）、ステップＳ３２に移行される。
【００７６】
添付物情報の選択入力を受け付けていない場合（ステップＳ３２；ＮＯ）、入力部２２により、割引クーポン選択画面部に対応して割引クーポンの選択入力を受け付けたか否かが判別される（ステップＳ３４）。割引クーポンの選択入力を受け付けた場合（ステップＳ３４；ＹＥＳ）、選択入力された割引クーポンの割引クーポン識別子（割引クーポン情報８０の各行のうち、選択割引クーポンに対応する行の割引クーポン識別子）が記憶部２５に記憶され（ステップＳ３５）、ステップＳ３２に移行される。
【００７７】
割引クーポンの選択入力を受け付けていない場合（ステップＳ３４；ＮＯ）、書込部２７により、顧客のＩＣカード４０が非接触通信可能な状態で検知されたか否かが判別される（ステップＳ３６）。ＩＣカード４０が検知された場合（ステップＳ３６；ＹＥＳ）、ステップＳ３３で記憶された添付物情報と、ステップＳ３５で記憶された割引クーポン識別子と、がＩＣカード４０に書込まれ（ステップＳ３７）、ステップＳ３２に移行される。
【００７８】
ＩＣカード４０が検知されていない場合（ステップＳ３６；ＮＯ）、電源オフ入力がなされて、情報書込処理を終了するか否かが判別される（ステップＳ３８）。情報書込処理を終了しない場合（ステップＳ３８；ＮＯ）、ステップＳ２０に移行される。情報書込処理を終了する場合（ステップＳ３８；ＹＥＳ）、情報書込処理が終了する。
【００７９】
次いで、図８を参照して、売上データ処理装置１０で実行される売上登録処理を説明する。売上登録処理は、顧客が購入する商品の精算時に、その購入商品の情報を登録するとともに、顧客のＩＣカード４０に記憶された添付物情報を読み出して表示し、同じくＩＣカード４０に記憶された割引クーポン識別子に対応する割引クーポン内容情報に応じて商品の価格情報の割引を行う。
【００８０】
売上データ処理装置１０において、例えば、入力部１２を介して、売上登録処理の実行指示が入力された場合に、記憶部１５から読み出されて適宜ＲＡＭ１３に展開された売上登録プログラムと、ＣＰＵ１１との協働により、売上登録処理が実行される。
【００８１】
先ず、割引クーポン情報作成処理のステップＳ１６に対応して、通信ネットワークＮ及び通信部１６を介して、割引クーポン情報を、自店舗の割引クーポン作成装置３０から受信したか否かが判別される（ステップＳ４１）。割引クーポン情報を受信した場合（ステップＳ４１；ＹＥＳ）、受信した割引クーポン情報が記憶部１５の割引クーポン情報５０として記憶され（ステップＳ４２）、ステップＳ４１に移行される。具体的には、受信された店舗情報、割引クーポン内容情報、割引クーポン識別子、割引開始日時、割引終了日時が、順に、割引クーポン情報５０の店舗情報５１、割引クーポン内容情報５２、割引クーポン識別子５３、割引開始日時５４、割引終了日時５５として記憶される。
【００８２】
割引クーポン情報を受信していない場合（ステップＳ４１；ＮＯ）、読取部１７により、顧客のＩＣカード４０が非接触通信可能な状態で検知されたか否かが判別される（ステップＳ４３）。ＩＣカード４０が検知された場合（ステップＳ４３；ＹＥＳ）、読取部１７により、検知されたＩＣカード４０に記憶されている添付物情報が読み出されて表示部１４に表示される（ステップＳ４４）。売上データ処理装置１０のオペレータ（店員）は、表示された添付物情報を参照し、この添付物情報に対応する添付物を顧客の購入商品の袋の中に入れる。
【００８３】
そして、読取部１７により、検知されたＩＣカード４０に記憶されている割引クーポン識別子が読み出されて記憶部１５に記憶され（ステップＳ４５）、ステップＳ４１に移行される。
【００８４】
ＩＣカード４０が検知されていない場合（ステップＳ４３；ＮＯ）、入力部１２のスキャナ部により、顧客が購入する商品に付されたバーコードが読み取られたか否かが判別される（ステップＳ４６）。購入する商品に付されたバーコードが読み取られた場合（ステップＳ４６；ＹＥＳ）、読取られたバーコードのバーコード情報に対応する商品識別情報の商品に関する商品情報がＲＡＭ１３に記憶される（ステップＳ４７）。この商品情報は、商品の商品識別情報、個数情報、価格情報を含む。
【００８５】
そして、ステップＳ４７でＲＡＭ１３に記憶されたバーコード情報に対応する商品に対し、ＩＣカード４０から読み取った割引クーポン識別子に対応する割引クーポンが使用可能であるか否かが判別される（ステップＳ４８）。具体的には、ステップＳ４７でＲＡＭ１３に記憶されたバーコード情報に対応する商品識別情報が、記憶部１５に記憶されているＩＣカード４０から読み取った割引クーポン識別子に対応する割引クーポン情報５０の割引クーポン内容情報５２の商品識別情報に対応して（含まれて）おり、且つその割引クーポン内容情報５２に対応する店舗情報５１が自店舗情報６０に一致するか否かが判別され、店舗情報５１及び自店舗情報６０が一致する場合に、計時部１８から現在日時情報が読み出され、この現在日時情報が割引クーポン内容情報５２の割引開始日時５３を経過し、割引終了日時５４を経過しておらず、割引クーポンが有効である場合に、その割引クーポンが使用可能であると判別される。
【００８６】
割引クーポンが使用可能である場合（ステップＳ４８；ＹＥＳ）、対応する商品情報の割引クーポン内容情報５２に応じて、ＲＡＭ１３に記憶されている商品情報の商品の価格情報の割引処理が実行され（ステップＳ５２）、ステップＳ４１に移行される。割引処理では、割引後の商品の価格情報を含む商品情報がＲＡＭ１３に記憶される。割引クーポンが使用可能でない場合（ステップＳ４８；ＮＯ）、ステップＳ４１に移行される。
【００８７】
なお、売上登録処理においては、ＲＡＭ１３に記憶されている商品情報の個数情報、価格情報に基づいて、随時小計が算出されてＲＡＭ１３に記憶されるものとする。
【００８８】
購入する商品に付されたバーコードが読み取られていない場合（ステップＳ４６；ＮＯ）、入力部１２により、オペレータが顧客から受け取った現金の金額情報が入力されて、さらに現金預キーが押下入力されたか否かが判別される（ステップＳ５０）。現金預キーが押下入力された場合（ステップＳ５０；ＹＥＳ）、現金預キー押下処理が実行される（ステップＳ５１）。現金預キー押下処理では、ＲＡＭ１３に記憶されている購入商品の小計がＲＡＭ１３から読み出され、この小計と、ステップＳ５０で入力された受け取り金額情報とに応じて、お釣りが算出されて表示部１４に表示され、ドロア１９ａが開放され、印刷部１９ｂによりジャーナル及びレシートが印刷される。そして、オペレータがドロア１９ａからお釣りの現金を取り出して顧客に手渡す。
【００８９】
そして、ステップＳ４７でＲＡＭ１３に記憶されている商品情報が削除され（ステップＳ５２）、ステップＳ４１に移行される。現金預キーが押下入力されていない場合（ステップＳ５０；ＮＯ）、入力部１２を介するオペレータの操作入力に応じて、売上登録処理を終了するか否かが判別される（ステップＳ５３）。売上登録処理を終了しない場合（ステップＳ５３；ＮＯ）、ステップＳ４１に移行される。売上登録処理を終了する場合（ステップＳ５３；ＹＥＳ）、売上登録処理が終了する。
【００９０】
ここで、図９を参照して、情報書込処理実行により端末装置２０の表示部２４に表示される画面の一例を説明する。端末装置２０の表示部２４に表示される入力画面９０は、ステップＳ３１で表示される添付物入力領域９１と、ステップＳ３０で表示される割引クーポン入力領域９２と、を含む。割引クーポン入力領域９２は、自店舗割引クーポン入力領域９２Ａと、他店舗割引クーポン入力領域９２Ｂと、を含む。
【００９１】
添付物入力領域９１には、添付物の種類として、箸及びタレの入力ボタンと、個数として、１個、２個、３個の入力ボタンを有する。また、自店舗割引クーポン入力領域９２Ａが、他店舗割引クーポン入力領域９２Ｂよりも優先的に左側に配置されている。
【００９２】
自店舗割引クーポン入力領域９２Ａは、割引開始日時を経過している自店舗の３つの割引クーポン情報に対応した３つの入力ボタンＡ１，Ａ２，Ａ３を含む。入力ボタンＡ１，Ａ２，Ａ３について、割引終了日時が近い入力ボタンが優先的に上に配置されている。割引終了日時が割引金額が同じ入力ボタンＡ２，Ａ３について、割引金額が大きい入力ボタンが優先的に上に配置されている。
【００９３】
他店舗割引クーポン入力領域９２Ｂは、割引開始日時を経過している他店舗の２つの割引クーポン情報に対応した２つの入力ボタンＢ１，Ｂ２を含む。入力ボタンＢ１，Ｂ２について、割引終了日時が近い入力ボタンが優先的に上に配置される。
【００９４】
以上、本実施の形態によれば、端末装置２０は、顧客からの添付物情報の入力を受付け、その添付物情報を顧客のＩＣカード４０に書き込む。売上データ処理装置１０は、商品の精算時に、顧客のＩＣカード４０に記録されている添付物情報を読み取り表示部１４に表示する。このため、売上データ処理装置１０の設置位置と別の位置に設置されている端末装置２０で添付物情報の入力を受け付けることができ、表示された添付物情報をオペレータが目視で確認して、添付物情報に応じた添付物を顧客に確実に提供できる。よって、顧客がオペレータによる売上データ処理装置１０の操作を確認でき、売上データ処理装置１０付近の顧客の混雑を防止することができる。
【００９５】
また、割引クーポン作成装置３０は、割引クーポン情報を作成して、自店舗の売上データ処理装置１０と、自店舗及び他店舗の端末装置２０に送信する。端末装置２０は、受信した割引クーポン情報に基づいて、割引クーポンを選択するための割引クーポン入力領域を表示部２４に表示し、顧客からの割引クーポンの選択入力を受付け、選択された割引クーポンの割引クーポン識別子を顧客のＩＣカード４０に書き込む。売上データ処理装置１０は、割引クーポン作成装置３０から送信された割引クーポン情報を受信して記憶し、商品の精算時に、顧客のＩＣカード４０に記録されている割引クーポン識別子を読み取り、この割引クーポン識別子に対応する割引クーポン情報に基づいて割引クーポンが使用可能であるか否かを判別し、使用可能である場合に、当該割引クーポンに対応する顧客の購入商品の割引処理を行って売上登録を行う。
【００９６】
このため、端末装置２０で割引クーポンの選択入力を受け付けることができ、選択された割引クーポンを容易に提供できる。
【００９７】
また、割引クーポン情報が、割引クーポンを使用可能な店舗の店舗情報を含み、売上データ処理装置１０は、商品の精算時に、顧客のＩＣカード４０から読み取った割引クーポン識別子に対応する割引クーポン情報の店舗情報と自店舗情報６０とが一致するか否かに基づいて、割引クーポンが自店舗で使用可能であるか否かを判別し、使用可能である場合に、当該割引クーポンに対応する販売商品の割引処理を行う。このため、自店舗で使用可能な割引クーポンを容易に判別でき、自店舗で使用できない他店舗の割引クーポンの使用を防ぐことができる。
【００９８】
また、割引クーポン作成装置３０は、乱数を発生し、この発生した乱数を割引クーポン識別子として割引クーポン情報を作成して自店舗の売上データ処理装置１０と、自店舗及び他店舗の端末装置２０とに送信する。このため、割引クーポン識別子を容易に作成でき、また割引クーポン識別子の偽造を防ぐことができ、さらに自店舗及び他店舗の割引クーポン作成装置３０で作成した割引クーポン識別が同一になることを防ぐことができる。
【００９９】
また、従来、割引クーポンを所定の優先順で並べ替えて配置して表示する構成はなかった。本実施の形態では、端末装置２０が、割引クーポン情報８０に基づいて、割引クーポン情報８０の複数の行を、所定の優先順で並び替え、この並び順に割引クーポンを配置した割引クーポン入力領域を表示部２４に表示する。このため、顧客に強調して提示したい割引クーポンを優先して表示できる。
【０１００】
また、割引クーポン情報８０の複数の行の並べ替えの優先順を、割引量が多いものの順にする。このため、割引量が多いお得な割引クーポンを顧客に強調して提示できる。
【０１０１】
また、割引クーポン情報８０の複数の行の並べ替えの優先順を、現在日時情報が割引終了日時に近い順にする。このため、有効期限が近い割引クーポンを顧客に強調して提示できる。
【０１０２】
また、割引クーポン情報８０の複数の行の並べ替えの優先順を、現在日時情報が割引開始日時を経過したもの、経過してないものの順にする。このため、割引を開始した割引クーポンを顧客に強調して提示できる。
【０１０３】
また、割引クーポン情報８０の複数の行の並べ替えの優先順を、自店舗である、他店舗であるの順にすることができる。このため、自店舗で使用可能な割引クーポンを顧客に強調して提示できる。
【０１０４】
なお、上記実施の形態における記述は、本発明に係る商品販売システムの一例であり、これに限定されるものではない。
【０１０５】
例えば、上記実施の形態では、端末装置２０で割引クーポン情報を並べ替える優先順の種類として、現在日時が割引開始日時が経過している順と、現在日時が割引終了日時に近い順と、割引量が大きい順としたが、これに限定されるものではない。例えば、優先順の種類は、他にも、現在日時が、端末装置２０における割引クーポン作成装置３０からの割引クーポン情報の受信時間に近い順、等としてもよい。また、各優先順の種類の優先順も、上記の順に限定されるものではない。
【０１０６】
また、上記実施の形態では、売上データ処理装置１０が現金決済を行う構成として説明したが、これに限定されるものではない。例えば、クレジットカード、金額がチャージ可能なＩＣカード、ポイントカード、商品券等による決済が可能な売上データ処理装置としてもよい。
【０１０７】
また、上記実施の形態では、端末装置２０が、店舗内の割引対象の商品の割引クーポンを選択可能に表示する構成としたが、これに限定されるものではない。端末装置２０の設置場所近傍の商品棚のみに陳列された商品のうち、割引対象の商品の割引クーポンを選択可能に表示する構成としてもよい。さらに、端末装置２０の設置場所は、商品棚の付近に限定されること無く、売上データ処理装置１０の設置場所と別の他の場所（例えば、店舗入口付近）としてもよい。
【０１０８】
また、上記実施の形態では、売上データ処理装置１０が、割引クーポン情報５０を記憶し、ＩＣカード４０に割引クーポン識別子が書込まれる構成としたが、これに限定されるものではない。例えば、売上データ処理装置１０が、使用可能な割引クーポン識別子を記憶し、ＩＣカード４０に割引クーポン識別子と、この割引クーポン識別子に対応する割引クーポン情報と、が書込まれる構成としてもよい。この場合、売上データ処理装置１０は、予め記憶している割引クーポン識別子と、ＩＣカード４０に書込まれた割引クーポン情報の割引クーポン識別子と、が一致するか否かを判別し、一致する場合に、ＩＣカード４０に書込まれた割引クーポン情報に基づいて、割引クーポンが使用可能であるか否かの判別と、商品の割引処理とを行う。
【０１０９】
また、上記実施の形態では、割引クーポン情報５０が、割引開始日時５４及び割引終了日時５５を含み、割引開始日時５４及び割引終了日時５５を用いて割引クーポンの期限管理を行う構成としたが、これに限定されるものではない。例えば、割引クーポン情報５０が、割引開始日時５４及び割引終了日時５５を含まず、割引クーポン作成装置３０が、売上データ処理装置１０に送信済の割引クーポン情報の期限管理を行い、割引クーポンの期限切れがある場合に、新たに乱数を発生し、その乱数を送信済の割引クーポン情報の新たな割引クーポン識別子として設定して、売上データ処理装置１０に送信する構成としてもよい。売上データ処理装置１０は、受信した新たな割引クーポン識別子を、対応する割引クーポン情報の割引クーポン識別子に上書きし、商品の精算時に、記憶している新たな割引クーポン識別子と、ＩＣカード４０に書込まれた割引クーポン情報の割引クーポン識別子と、が一致するか否かを判別する。すると、割引クーポン識別子の一致が起こらないため、割引クーポンが使用不可となり、期限切れの割引クーポンの使用を防ぐことができる。また、期限切れの割引クーポンの使用を防ぐための割引クーポン識別子を容易に作成できる。
【０１１０】
また、割引クーポン作成装置３０が、乱数を発生し、この乱数を店舗識別子とすることとしてもよい。また、割引クーポン識別子及び店舗識別子を一つの識別子としてもよい。
【０１１１】
また、上記実施の形態では、記憶媒体としてＩＣカード４０を用いる構成としたが、これに限定されるものではない。記憶媒体としては、磁気カード、ＵＳＢ（Universal Serial Bus）メモリ等、他の記憶媒体としてもよい。
【０１１２】
また、上記実施の形態における商品販売システム１の各構成要素の細部構成及び細部動作に関しては、本発明の趣旨を逸脱することのない範囲で適宜変更可能であることは勿論である。
【符号の説明】
【０１１３】
１  商品販売システム
１０  売上データ処理装置
１１  ＣＰＵ
１２  入力部
１３  ＲＡＭ
１４  表示部
１５  記憶部
１６  通信部
１７  読取部
１８  計時部
１９ａ  ドロア
１９ｂ  印刷部
１９ｃ  バス
２０  端末装置
２１  ＣＰＵ
２２  入力部
２３  ＲＡＭ
２４  表示部
２５  記憶部
２６  通信部
２７  書込部
２８  計時部
２９  バス
３０  割引クーポン作成装置
３１  ＣＰＵ
３２  入力部
３３  ＲＡＭ
３４  表示部
３５  記憶部
３６  通信部
３７  バス
４０  ＩＣカード
【図１】
0005446320.tif 000002
【図２】
0005446320.tif 000003
【図３】
0005446320.tif 000004
【図４】
0005446320.tif 000005
【図５】
0005446320.tif 000006
【図６】
0005446320.tif 000007
【図７】
0005446320.tif 000008
【図８】
0005446320.tif 000009
【図９】
0005446320.tif 000010